(57)【要約】【課題】冷熱混合感応式蛇口手動出水制御構造の提供。【解決手段】本発明の冷熱混合感応式蛇口手動出水制御構造は、光電池を有する蛇口体内に接水混合座、制御切替え装置、電磁バルブ装置を結合し、接水混合座は二接水孔により冷熱水管を結合し、中段は、冷熱調節栓孔により両接水孔を貫通し、切り換え装置の切り換えバルブはバルブ素子に結合され、バルブ素子底面に設けられた手動接水孔、自動接水孔は、それぞれ、切り換えバルブの手動接水座、及び、自動接水座と相対し、バルブ素子底面は、手動接水孔周辺に混合室を凹設し、電磁バルブ装置の自動出水管は接水混合座の自動出水孔に連結され、止水バルブが結合する自動進水管は接水混合座の自動進水孔に連結される。切り換え装置により自動感応出水、或いは、手動制御出水を切り換える以外に、冷熱調節栓により冷熱水混合比率の水温調節をし、手動出水時、取り外しがメンテナンスが容易で、蛇口の出水使用に影響しない効果を達成する。【選択図】    図１
2008020015.tif 000002
【特許請求の範囲】
【請求項１】
冷熱混合感応式蛇口手動出水制御構造は、蛇口体、接水混合座、電磁バルブ装置、バルブ素子、及び、切り換え装置、からなり、
前記蛇口体は、内部が出水道と連通する階段状空間が、接水混合座と結合され、一側壁に、異なる角度で径向孔を貫設する冷熱調節栓を有し、前壁に光電池を設置し、
前記接水混合座は、下段に、二接水孔を有し、前記冷熱水管を結合する下凸階を凸設し、前記下凸階前後両側に、それぞれ、自動出水孔、及び、自動進水孔を貫設し、中段は調節栓孔により両接水孔を貫通し、冷熱調節栓は異なる角度で径向孔に挿入し、両接水孔と相対し、
前記電磁バルブ装置は、自動出水管を設け、前記接水混合座の自動出水孔に連結され、また、止水栓を有する止水バルブにより自動進水管を結合し、前記接水混合座に連結された自動進水孔は、制御線により前記光電池に連結され、
前記切り換え装置は、前記蛇口体に結合され、主に、自動接水座と手動接水座を有する切り換えバルブと制御とってからなり、
前記バルブ素子は、開口が上向けの結合素子で、底面に貫設された自動接水孔、及び、手動接水孔を有し、前記手動接水座と前記自動接水座は相対し、その外壁は、環形水槽を凹設し、二出水孔を設置し、前記手動接水孔周辺は、接水孔、及び、自動進水孔を被覆して、T状を呈する混合室を凹設し、前記自動接水孔と前記混合室周辺に嵌槽を凹設して、止水リングを嵌結して分割止水し、
上述のような素子により、使用者は手動か自動の制御切り換え出水を選択し、冷熱調節栓により冷熱水混合比率の水温調整が可能で、フレキシブルな応用が可能な以外に、電磁バルブ装置、或いは、光電池の故障時、手動切り換え出水にすれば、正常使用に影響せずに、電磁バルブ装置のメンテナンスと取り外しが可能であることを特徴とする冷熱混合感応式蛇口手動出水制御構造。
【請求項２】
また、前記混合室は、接水混合座上端に設置することができ、前記接水混合座の二接水孔上端に、自動進水孔上端と連通し、T字型を呈する混合室を形成し、バルブ素子底面は、手動接水孔周辺に、円嵌槽により止水リングを嵌結し、接水混合座の混合室周辺に抵接し、前記自動接水孔と相対する接水混合座の自動出水孔は分割止水を形成し、前記接水混合座は、冷熱水管の二接水孔が冷熱水を導入する時、冷熱水が前記混合室に進入して混合されることを特徴とする請求項１に記載の冷熱混合感応式蛇口手動出水制御構造。
【請求項３】
前記切り換えバルブの手動接水座と自動接水座は、前記バルブ素子の手動接水孔と自動接水孔により、下向けに自動接水座と手動接水座を相対させ、内部の固定セラミック片の二制御孔と相対し、可動セラミック片は、長形の制御孔と固定セラミック片の出水孔、或いは、二制御孔と相対し、下端が可動セラミック片に嵌結する制御棒は、上端が制御とってと結合することを特徴とする請求項１、或いは、２に記載の冷熱混合感応式蛇口手動出水制御構造。
【発明の詳細な説明】
【技術分野】
【０００１】
本発明は手動、或いは、自動の両用制御切り換え制御使用功能以外に、冷熱混合調節の出水使用が可能で、また、電磁バルブメンテナンス、或いは、取り外し交換が容易な感応式蛇口の新設計に関する。
【背景技術】
【０００２】
台湾特許申請第９３２１８３５１号「感応式蛇口の手動出水制御構造」で開示される公知技術によると、その構造は、以下のようである。
【０００３】
感応式蛇口の手動出水制御構造は、主に、蛇口体、自動水源開閉の電磁バルブ装置、光電池、手動制御切り換え装置、及び、分水バルブ座、からなる。
【０００４】
蛇口体は、接水座を内部階段状空間に容置し、凸設する出水管と接水座上段階段状空間は相通し、接水座は自動導孔、及び、手動導孔を有し、それぞれ、自動導管、及び、手動導管により電磁バルブ装置、及び、分水バルブ座に連結される。
【０００５】
電磁バルブ装置は、出水口と接水口を有し、出水口は自動導管により蛇口体の接水座の自動導孔と導接される。
【０００６】
光電池は、出水管下方の蛇口体に結合される。
【０００７】
手動制御切り換え装置は、蛇口体に結合され、主に、制御切り換えバルブ座、及び、制御ボタンからなる。
【０００８】
分水バルブ座は、出水孔と電磁バルブ装置の接水口と螺接され、出水孔は、手動導管により、蛇口体の接水座の手動導孔と導接され、出水口対側に螺結される制御切り換え水栓と内部の止水孔は相対し、下端の進水口は接壁水管と螺接される。
【０００９】
上述のような素子により、使用者は任意で手動か自動の制御切り換え出水を選択し、フレキシブルな応用が可能な以外に、電磁バルブ装置、或いは、光電池の故障時、手動切り換え出水にすれば、正常使用に影響せずに、電磁バルブ装置のメンテナンスと取り外しが可能である。
【００１０】
しかし、手動出水制御の感応蛇口構造は、一般に、冷水調整のみなので、冷熱混合出水の功能は達成されず、よって、温帯、熱帯、或いは、亜熱帯地区に市場が限られ、寒帯地域の国家に市場が拡張できないのが公知の感応蛇口の手動出水制御装置の最大の欠点である。
【発明の開示】
【発明が解決しようとする課題】
【００１１】
本発明は、冷熱混合感応式蛇口手動出水制御構造を提供し、手動、或いは、自動の両用制御切り換え使用功能以外に、冷熱混合調節の出水使用が可能で、切り換え操作上、フレキシブルな使用効能を達成し、製品競争力を向上して、市場拡大を達成することを目的とする。
【００１２】
本発明は、冷熱混合感応式蛇口手動出水制御構造を提供し、自動感応出水が不能時に、直接手動による切り換え出水に調節でき、正常な出水制御が可能であると共に、光電池の故障取り外し交換、メンテナンスを容易にすることをもう一つの目的とする。
【課題を解決するための手段】
【００１３】
本発明の冷熱混合感応式蛇口手動出水制御構造は、蛇口体、接水混合座、電磁バルブ装置、バルブ素子、及び、切り換え装置、からなる。
【発明の効果】
【００１４】
本発明により、手動、或いは、自動の両用制御切り換え使用功能以外に、冷熱混合調節の出水使用が可能で、切り換え操作上、フレキシブルな使用効能を達成し、製品競争力を向上して、市場拡大を達成する。また、自動感応出水が不能時に、直接手動による切り換え出水に調節でき、正常な出水制御が可能であると共に、光電池の故障取り外し交換、メンテナンスを容易にする。
【発明を実施するための最良の形態】
【００１５】
図１、図２で示されるように、蛇口体３０、接水混合座４０、電磁バルブ装置５０、バルブ素子６０、及び、切り換え装置７０、からなる。
【００１６】
蛇口体３０は、内部が出水道と連通する階段状空間３１が、接水混合座４０と結合され、前壁に光電池３２を設置し、一側壁に、冷熱調節栓３５を穿組する挿結孔３４を有し、冷熱調節栓３５は中段外壁に、槽３５１を縦向けに凹設する。その両側にそれぞれ、異なる角度で二径向孔３５２を貫設する。
【００１７】
接水混合座４０は、下段に、二接水孔４２を有し、冷熱水管４３を結合する下凸階４１を凸設する。下凸階４１前後両側に、それぞれ、自動出水孔４５、及び、自動進水孔４６を貫設し、両接水孔４２と自動出水孔４５の間に、二定位槽４４を凸設し、中段は調節栓孔４７により両接水孔４２を横向けに貫通し、接水混合座４０下端中央から定位ねじ孔４８により調節栓孔４７を貫通し、定位ねじ４８’を鎖入する。
【００１８】
電磁バルブ装置５０は、自動出水管５１を設け、接水混合座４０の自動出水孔４５に連結され、止水栓５２１を有する止水バルブ５２により自動進水管５３を結合し、接水混合座４０の自動進水孔４６に連結され、また、制御線５４により光電池５５に連結される。
【００１９】
バルブ素子６０は、開口が上向けの結合素子が底面に貫設された自動接水孔６１、及び、接合混合座４０の接水孔４２に相対する手動接水孔６２、を有し、手動接水孔６２周辺は、更に、接水孔４２、及び、自動進水孔４６を被覆して、T状を呈する混合室６３を凹設し、底面は自動接水孔６１と混合室６３周辺に円嵌槽６４を凹設して、止水リング６５を嵌結して分割止水し、底面には、更に、自動接水孔６１両側に、二定位凸体６６を設置し、その外壁は、環形水槽６７を凹設し、二出水孔６８を設置し、内底部には、二定位槽６９を設けている。
【００２０】
切り換え装置７０は、切り換えバルブ７１を下向けにバルブ素子６０内に容置し、底部に設けられる自動接水座７１１と手動接水座７１２を、それぞれ、バルブ素子６０の自動接水孔６１と接水孔６２に相対させ、底部の二定位柱７１３によりバルブ素子６０の二定位槽６９と嵌結定位させる。また、バルブ素子６０は、蛇口体３０に係入して、二定位凸体６６により接水混合座４０の二定位槽４４と嵌結し、バルブ素子６０の混合室６３と接水混合座４０の両接水孔４２、及び、自動進水孔４６が相対して、バルブ６０の自動接水孔６１は、接水混合座４０の自動出水孔４５と相対する。切り換えバルブ７１の自動接水座７１１、及び、手動接水座７１２は、内部の固定セラミック片７６の二制御孔７５１、７５２と相対し（図３A-A断面を参照）、また、長形の制御孔７６１の可動セラミック片７６を固定セラミック片７５状に貼設し、長形の制御孔７６１と固定セラミック片７５の出水孔７５３、或いは、二制御孔７５１、７５２は相対し、下端が可動セラミック片７６に嵌結する制御棒７４は、上端が制御とって７２と結合する。
【００２１】
図３は本発明の断面図であり、蛇口体３０内に組み込まれる接水混合座４０は、冷熱水管４３の接水孔４２を結合して、調節栓孔４７を貫き、蛇口体３０側壁の挿結孔３４と相対し、冷熱調節栓３５を横向きに接水混合座４０の調節栓孔４７に挿結して両接水孔４２を貫通し、定位ねじ４８’を冷熱調節栓３５中段の槽３５１に鎖入して、冷熱調節栓３５の異なる角度の両径向孔３５２と両接水孔４２を相対させる。冷熱水管４３の両接水孔４２が冷熱水を導入する時、冷熱調節栓３５が回転して冷熱水が混合室６３に進入するのを調整して混合される。しかし、バルブ素子６０に設置される制御切り換えバルブ７１が制御とって７２により可動セラミック片７６を回転させて、長形制御孔７６１が自動接水座７１１、及び、手動接水座７１２間に達する間、混合室６３の手動接水孔６２上端の手動接水座７１２は閉水状態になり、故に、冷熱水は混合室６３だけに進入して混合される。
【００２２】
図４は、本発明の手動出水制御の断面図である。バルブ素子６０底面の混合室６３と自動接水孔６１の間は、嵌結する止水リング６５により分割止水される。手動出水を選択する時、BB断面で示されるように、制御とって７２により、可動セラミック片７６の長形制御孔７６１を切り換えバルブ７１の手動接水座７１２に切り換えれば、バルブ素子６０の混合室６３内で混合された温水が図中の矢印方向のように、上向けに、手動接水孔６２、手動接水座７１２から切り換えバルブ７１に進入し、固定セラミック片７５の制御孔７５２と可動セラミック片７６の長形制御孔７６１を経て、更に、固定セラミック片７５の出水孔７５３とバルブ素子６０の出水孔６８から蛇口体３０の出水道を経て出水する。
【００２３】
図５で示されるように、自動感応出水を選択する時、断面CCと共に参照すると、制御とって７２により、可動セラミック片７６の長形制御孔７６１を切り換えバルブ７１の自動接水座７１１に向け、固定セラミック片７５が手動接水座７１２に相対する制御孔７５２が可動セラミック片７６により遮蔽閉鎖される。この時、混合室６３内で混合された温水は、混合室６３に相対する自動進水孔４６により下向けに自動進水管５３、及び、止水栓５２１が開いた止水バルブ５２を経て電磁バルブ装置５０に進入し、制御線５４が連結する光電池５５が感応して、電磁バルブ装置５０が水流を制御し、上向けに自動出水管５１から接水混合座４０の自動出水孔４５に流向し、バルブ素子６０の自動接水孔６１と自動接水座７１１から切り換えバルブ７１に進入し、断面CCで示されるように、固定セラミック片７５の制御孔７５１と可動セラミック片７６の長形制御孔７６１を経て、更に、固定セラミック片の出水孔７５３とバルブ素子６８から蛇口体３０の出水道を経て出水する。
【００２４】
図５で示されるように、光電池５５の電磁バルブ装置５０が故障し取り換えたい時、止水バルブ５２の止水栓５２１を鎖入して封閉し、水流が電磁バルブ装置５０に流向するのを停止し、正常使用に影響しない下、取り外しが容易である。
【００２５】
最後に、図６は本発明の第二実施例の立体図である。主に、混合室を接水混合座４０上端に設置し、接水混合座４０の二接水孔４２上端に、自動進水孔４６上端と連通し、T字型を呈する混合室４９を形成し、バルブ素子６０底面は、手動接水孔６２周辺に、円嵌槽６４により止水リング６５を嵌結し、接水混合座４０の混合室４９周辺に抵接し、自動接水孔６１と相対する接水混合座４０の自動出水孔４５は分割止水を形成し、接水混合座４０は、冷熱水管４３の二接水孔４２が冷熱水を導入する時、冷熱調節栓３５が回転して、冷熱水を調節し、混合室４９に進入して混合される。
【図面の簡単な説明】
【００２６】
【図１】本発明の立体分解図である。
【図２】本発明の立体組み合わせ図である。
【図３】本発明の組み合わせ断面図である。
【図４】本発明の手動出水制御の実施断面図である。
【図５】本発明の自動感応出水の実施例を示す図である。
【図６】本発明の第二実施例の立体図である。
【符号の説明】
【００２７】
３０  蛇口体
３１  階段状空間
３２  光電池
３５  冷熱調節栓
３４  挿結孔
３５１  槽
３５２  二径向孔
４０  接水混合座
４１  下凸階
４２  二接水孔
４３  冷熱水管
４４  二定位槽
４５  自動出水孔
４６  自動進水孔
４７  調節栓孔
４８  定位ねじ孔
４８’  定位ねじ
５０  電磁バルブ装置
５１  自動出水管
５２  止水バルブ
５３  自動進水管
５４  制御線
５２１  止水栓
６０  バルブ素子
６１  自動接水孔
６２  手動接水孔
６３  混合室
６４  円嵌槽
６５  止水リング
６６  二定位凸体
６７  環形水槽
６８  二出水孔
６９  二定位槽
７０  切り換え装置
７１  切り換えバルブ
７２  制御とって
７４  制御棒
７５  固定セラミック片
７６  固定セラミック片
７１１  自動接水座
７１２  手動接水座
７１３  二定位柱
７５１、７５２  二制御孔
７５３  出水孔
７６１  長形の制御孔
【図１】
2008020015.tif 000003
【図２】
2008020015.tif 000004
【図３】
2008020015.tif 000005
【図４】
2008020015.tif 000006
【図５】
2008020015.tif 000007
【図６】
2008020015.tif 000008